(57)【要約】【課題】ＭＩＭＯ／ＳＩＣ／ＨＡＲＱにおけるＡＣＫ／ＮＡＣＫエラーの軽減【解決手段】ワイヤレスネットワーク環境内の復号化に成功したデータパケットを示すアックノレッジの不正確な復号化に関連するミスマッチエラーの影響を軽減することを容易にする、システム及び方法論が記述されている。復号化に成功した多数のデータパケットに関連する累積アックノレッジについての誤解釈を特定することができ、これによって生じたデータパケット送信ミスマッチエラーを評価して、残りのデータパケットを復号化及びアックノレッジする最適な方法を決定することができ、その結果、ミスマッチの軽減と前記データパケットの送信器と受信器間の同期の回復を図ることができる。【選択図】      図７
2008507917.tif 000002
【特許請求の範囲】
【請求項１】
ワイヤレスネットワーク内で通信している間のアックノレッジ解釈エラーの影響を緩和する方法であって、
復号化に成功したデータパケットを指すアックノレッジの解釈に関連するエラーを特定することと、
エラーのタイプを決定することと、
前記特定されたエラータイプに少なくとも部分的に基づいて、前記アックノレッジを提供した受信器と前記アックノレッジを誤解釈した送信器との間の同期状態を救済処理的に回復することと、
を備える、方法。
【請求項２】
ハイブリッド自動リクエスト（ＨＡＲＱ：ｈｙｂｒｉｄ  ａｕｔｏｍａｔｉｃ  ｒｅｑｕｅｓｔ）プロトコルを、前記送信器と前記受信器との間の１つ以上のデータパケットの送信のために用いることを更に備える、請求項１に記載の方法。
【請求項３】
前記受信器によって少なくとも１つのデータパケットの復号化が成功したことを、前記少なくとも１つのデータパケットの前記送信器にアックノレッジする、累積アックノレッジプロトコルを用いることを更に備える、請求項２に記載の方法。
【請求項４】
前記エラーは、前記送信器が、実際に復号化に成功したものよりも大きい数のデータパケットが前記受信器によって復号化が成功したことを示しているというように、前記アックノレッジを不正確に解釈する上方ミスマッチエラーである、請求項１に記載の方法。
【請求項５】
前記送信器は、前記アックノレッジの前記不正確な解釈に基づいて、次の送信から１つ以上のデータパケットを削除する、請求項４に記載の方法。
【請求項６】
前記削除されたデータパケットに関連するエネルギーレベルを推定することと、前記推定されたエネルギーレベルを所定の閾値と比較して、前記削除されたデータパケットは前記次の送信の中には存在しないということを確認することと、を更に備える、請求項５に記載の方法。
【請求項７】
前記次の送信の中の次の期待されるデータパケットの復号化を開始することを更に備える、請求項６に記載の方法。
【請求項８】
前記次の送信の中で受信され、復号化に成功したデータパケットのアックノレッジを前記送信器に提供することを更に備える、請求項７に記載の方法。
【請求項９】
前記送信器及び受信器は、前記次の送信の中で受信され復号化に成功した前記データパケットの前記アックノレッジを、前記送信器が正しく解釈したときに同期化される、請求項８に記載の方法。
【請求項１０】
前記エラーは、前記送信器が、実際に復号化に成功したものよりも小さい数のデータパケットが前記受信器によって復号化に成功したことを示しているというように、前記アックノレッジを不正確に解釈する下方ミスマッチエラーである、請求項１に記載の方法。
【請求項１１】
前記送信器は、前記アックノレッジの前記不正確な解釈に基づいて、次の送信の中で１つ以上のデータパケットを重複して送信する、請求項１０に記載の方法。
【請求項１２】
前記次の送信の中のデータパケットの復号化に先立ち、最後に復号化に成功したデータパケットの複製を生成することと、前記複製を前記次の送信の中のデータパケットと比較して所定の相関閾値を超えるかどうかを判断することとを更に備える、請求項１１に記載の方法。
【請求項１３】
前記データパケットと前記複製との間の相関が、前記所定の相関閾値を超えるとき、前記データパケットを重複したデータパケットだと認識することを更に備える、請求項１２に記載の方法。
【請求項１４】
前記次の送信における、次の期待されるデータパケットの復号化を開始することを更に備える、請求項１３に記載の方法。
【請求項１５】
前記次の送信の中で受信され、復号化に成功したデータパケットのアックノレッジを前記送信器に提供することを更に備える、請求項１４に記載の方法。
【請求項１６】
前記次の送信の中で受信されたデータパケットが１つも復号化に成功しなかった場合、前記最後に復号化に成功したデータパケットのアックノレッジを提供することを更に備える、請求項１４に記載の方法。
【請求項１７】
モバイルデバイスにより実行される、請求項１に記載の方法。
【請求項１８】
前記モバイルデバイスは、携帯電話、スマートフォン、ラップトップ、携帯型通信デバイス、携帯型計算デバイス、衛星ラジオ、全地球測位システム（ＧＰＳ）、及びＰＤＡのうちの少なくとも１つである、請求項１７に記載の方法。
【請求項１９】
ワイヤレスネットワーク内のミスマッチエラーによるスループットの低下の軽減を容易にする装置であって、
ＨＡＲＱ（ｈｙｂｒｉｄ  ａｕｔｏｍａｔｉｃ  ｒｅｑｕｅｓｔ）プロトコルを用いて１つ以上のデータパケットを送信する送信器と、
ＨＡＲＱプロトコルを利用している前記１つ以上のデータパケットを受信し、復号化に成功した多数のデータパケットに関連する累積アックノレッジを前記送信器に提供し、前記送信器におけるアックノレッジの誤解釈に関連するミスマッチエラーに対して救済措置的に補償する受信器と、
を備える、装置。
【請求項２０】
前記受信器は、１つ以上のデータパケットを復号化する復号器と、前記アックノレッジを生成するアックノレッジコンポーネントとを備える、請求項１９に記載の装置。
【請求項２１】
前記受信器は、誤解釈されたアックノレッジによるミスマッチエラーを検出する、エラー検出コンポーネントを更に備える、請求項２０に記載の装置。
【請求項２２】
前記エラー検出コンポーネントは、実際に復号化に成功したものよりも大きい数のデータパケットが復号化に成功したことを示しているというように、不正確に解釈されたアックノレッジに関連する上方ミスマッチエラーを特定する、上方ミスマッチエラー検出コンポーネントを備える、請求項２１に記載の装置。
【請求項２３】
前記受信器は、前記上方ミスマッチエラーのために次のデータパケット送信から削除された少なくとも１つのデータパケットに対するエネルギーレベルを推定する、エネルギー推定コンポーネントを更に備える、請求項２２に記載の装置。
【請求項２４】
前記受信器は、前記推定されたエネルギーレベルを所定の閾値と比較して、前記データが前記次のデータパケット送信の中には存在しないことを確かめる、請求項２３に記載の装置。
【請求項２５】
前記復号器は、次の期待されるデータパケットを復号化し、成功したときは前記復号化をアックノレッジする、請求項２４に記載の装置。
【請求項２６】
前記エラー検出コンポーネントは、実際に復号化に成功したものよりも小さい数のパケットが復号化に成功したことを示しているというように、不正確に解釈されたアックノレッジに関連する下方ミスマッチエラーを特定する、下方ミスマッチエラー検出コンポーネントを備える、請求項２１に記載の装置。
【請求項２７】
前記下方ミスマッチエラー検出コンポーネントは、前記下方ミスマッチエラーにより次のデータパケット送信の中に複製され復号化に成功した少なくとも１つのデータパケットに対し符号語を生成する、請求項２６に記載の装置。
【請求項２８】
前記受信器は、前記符号語を複製のデータパケットと比較して、所定の相関閾値を超えるかどうかを評価する、請求項２７に記載の装置。
【請求項２９】
前記復号器は、前記所定の相関閾値を超えるときに、前記複製のデータパケットを無視し、次の期待されるデータパケットの復号化を開始する、請求項２８に記載の装置。
【請求項３０】
前記アックノレッジコンポーネントは、前記次の期待されるデータパケットの復号化に成功したことについてのアックノレッジを、前記次の期待されるデータパケットの復号化に成功した場合に提供する、請求項２９に記載の装置。
【請求項３１】
前記アックノレッジコンポーネントは、前記複製データパケットの復号化に成功したことについてのアックノレッジを、前記次の期待されるデータパケットの復号化が不成功だった場合に提供する、請求項２９に記載の装置。
【請求項３２】
ワイヤレスネットワーク内のミスマッチエラーに対する検出と補償を容易にする装置であって、
少なくとも１つのデータパケットについての第１の送信を受信する手段と、
前記少なくとも１つのデータパケットを復号化する手段と、
前記少なくとも１つのデータパケットの復号化に成功したことについてのアックノレッジを提供する手段と、
前記アックノレッジが正しく解釈されたかどうかを、１つ以上のデータパケットについての第２の送信に少なくとも部分的に基づいて判断する手段と、
を備える装置。
【請求項３３】
１つ以上の期待されたデータパケットが、前記第２の送信から削除されたかどうかを判断する手段を更に備える、請求項３２に記載の装置。
【請求項３４】
削除されたデータパケットについての評価を実施し次第、前記第２の送信の中の前記１つ以上のデータパケットの復号化に進む手段を更に備える、請求項３３に記載の装置。
【請求項３５】
前記第２の送信の中の少なくとも１つのデータパケットについての復号化が成功したことについてのアックノレッジを提供して、前記受信手段を前記１つ以上のデータパケットを送信する手段に同期させる手段を更に備える、請求項３４に記載の装置。
【請求項３６】
１つ以上の復号化に成功したデータパケットが、前記第２の送信から複製されたかどうかを判断する手段を更に備える、請求項３２に記載の装置。
【請求項３７】
複製データパケットを評価し次第、前記第２の送信の中の前記１つ以上のデータパケットを復号化する手段を更に備える、請求項３６に記載の装置。
【請求項３８】
前記第２の送信の中の少なくとも１つのデータパケットについての復号化が成功したことについてのアックノレッジを提供して、前記受信手段を前記１つ以上のデータパケットを送信する手段に同期させる手段を更に備える、請求項３７に記載の装置。
【請求項３９】
前記第２の送信の中の前記１つ以上のデータパケットのいずれも復号化に成功しなかった場合に、前記複製データパケットについての復号化の成功についてのアックノレッジを提供する手段を更に備える、請求項３７に記載の装置。
【請求項４０】
コンピュータ可読媒体であって、前記媒体上に格納されるコンピュータで実行可能な命令を有し、前記命令は、
少なくとも１つのデータパケットについての第１の送信を受信することと、
前記少なくとも１つのデータパケットを復号化することと、
前記少なくとも１つのデータパケットの復号化に成功したことについてのアックノレッジを提供することと、
前記アックノレッジが正しく解釈されたかどうかを、１つ以上のデータパケットについての第２の送信に少なくとも部分的に基づいて判断することと、
のためである、コンピュータ可読媒体。
【請求項４１】
前記第２の送信の中に、少なくとも１つの期待されたデータパケット及び複製データパケットが存在するかどうかを判断する命令を更に備える、請求項４０のコンピュータ可読媒体。
【請求項４２】
複製されたデータパケットを無視し、次の期待されるデータパケットを復号化する命令を更に備える、請求項４１のコンピュータ可読媒体。
【請求項４３】
前記第２の送信の間に受信され復号化に成功したデータパケットについてのアックノレッジを提供する命令を更に備える、請求項４２のコンピュータ可読媒体。
【請求項４４】
前記複製データパケットについてのアックノレッジを、前記第２の送信の中のデータパケットが１つも復号化されなかった場合に提供する命令を更に備える、請求項４２のコンピュータ可読媒体。
【請求項４５】
次の期待されるデータパケットの復号化を進めるかどうかを、エネルギー推定プロトコルを用いて判断する命令を更に備える、請求項４１のコンピュータ可読媒体。
【請求項４６】
前記第２の送信における復号化に成功したデータパケットのアックノレッジを提供する命令を更に備える、請求項４５のコンピュータ可読媒体。
【請求項４７】
ワイヤレスネットワーク内のアックノレッジエラーを緩和するための命令を実行するプロセッサであって、前記命令は、
少なくとも１つのデータパケットについての第１の送信を受信することと、
前記少なくとも１つのデータパケットを復号化することと、
前記少なくとも１つのデータパケットの復号化に成功したことについてのアックノレッジを提供することと、
前記アックノレッジが正しく解釈されたかどうかを、１つ以上のデータパケットについての第２の送信に少なくとも部分的に基づいて判断することと、
を備える、プロセッサ。
【請求項４８】
ワイヤレスネットワーク上での通信を容易にするモバイルデバイスであって、
前記ワイヤレスネットワーク内の送信器からデータパケット送信を受信する受信コンポーネントと、
少なくとも１つの上方ミスマッチエラー及び下方ミスマッチエラーを特定するエラー検出コンポーネントと、
少なくとも１つのデータパケットに関連するエネルギーレベルを評価するエネルギー推定コンポーネントと、
復号化に成功した１つ以上のデータパケットについてのアックノレッジを生成するアックノレッジコンポーネントと、
を備える、モバイルデバイス。
【請求項４９】
前記デバイスは、携帯電話、スマートフォン、ラップトップ、携帯型通信デバイス、携帯型計算デバイス、衛星ラジオ、全地球測位システム（ＧＰＳ）、ＰＤＡのうち少なくとも１つである、請求項４８に記載のモバイルデバイス。
【発明の詳細な説明】
【技術分野】
【０００１】
以下の説明は、一般にはワイヤレス通信に関し、より詳細には、アックノレッジ解釈エラー及びこれに関連する悪影響を軽減して、ワイヤレスネットワーク環境内のスループットを改善することに関する。
【背景技術】
【０００２】
ワイヤレスネットワークシステムは、世界中の大多数の人がこれによって通信する、有力な手段となった。ワイヤレス通信デバイスは、消費者のニーズに応えるため及び携帯性と利便性を高めるために、より小さく且つより強力になった。携帯電話などのモバイルデバイスの処理能力の増加は、ワイヤレスネットワーク送信システムへの要求の増大を導いた。モバイルデバイスの能力が拡大するにつれ、新規で且つ改善されたワイヤレスデバイスの能力を十分に引き出すことを容易にするような形で古いワイヤレスネットワークシステムを維持するのは、難しくなる可能性がある。
【０００３】
より具体的には、周波数分割ベースの技術は一般的に、スペクトルを一定のかたまりのバンド幅に分割することにより、これを異なったチャネルに分離する。例えば、ワイヤレス携帯電話通信のために割り当てられる周波数バンドは、３０チャネルに分割することができ、分割されたそれぞれのバンドは音声会話を搬送することができ、又は、デジタルサービスと共に、デジタルデータを搬送することができる。各チャネルは、同時に１ユーザのみに割り当てすることができる。一般的に用いられる改良型の１つは、システムバンド幅全体を効果的に多数の直交サブバンドに分割する、直交周波数分割技術である。これらのサブバンドはまた、トーン（ｔｏｎｅｓ）、キャリア、サブキャリア、ビン（ｂｉｎｓ）、及び／又は周波数チャネルとも呼ばれている。各サブバンドは、データと共に変調することができる１つのサブキャリアに関連付けられている。時分割ベースの技術では、１つのバンドはシーケンシャルな時間スライスすなわち時間スロットに、時間方向に分割される。１つのチャネルの各ユーザは、情報を送信及び受信するための１つの時間スライスを、ラウンドロビン方式で提供される。例えば、任意の所与の時間ｔに、あるユーザはショートバーストのためにこのチャネルへのアクセスを与えられる。次に、アクセスは情報を送信及び受信するためにショートバースト時間を与えられた別のユーザに切り替わる。「交代する」サイクルは続き、最終的に各ユーザは複数の送信及び受信バーストを提供される。
【０００４】
符号分割ベースの技術は通常、データを、ある範囲内の常時利用可能な多数の周波数を通して送信する。一般的に、データはデジタル化されて、利用可能なバンド幅全体に広げられ、複数のユーザをこのチャネル上にオーバーレイすることができ、また、それぞれのユーザに固有のシーケンスコードを割り当てることができる。ユーザは、同じ広帯域のスペクトルのかたまりの中で送信することができ、各ユーザの信号は、各ユーザそれぞれの固有の拡散コードにより、バンド幅全体に拡散させられる。この技法は、１つ以上のユーザが同時に送信及び受信が出来る、「共有（ｓｈａｒｉｎｇ）」を提供することができる。このような共有は、スペクトル拡散デジタル変調を通じて実現することができ、ユーザのビットのストリームは、符号化され、擬似ランダムなやり方でチャネル全体に非常に幅広く拡散させられる。受信器は、前記の関連付けられた固有シーケンスコードを認識することができるように設計されており、特定のユーザのための前記ビットを収集するために、前記のランダム化を理路整然と元に戻すことができる。
【０００５】
例示的なワイヤレス通信ネットワーク（例えば、周波数分割、時分割、及び符号分割技術を用いる）は、サービスエリア（ｃｏｖｅｒａｇｅ  ａｒｅａ）を提供する１つ以上のベースステーションと、前記サービスエリア内でデータを送信及び受信することができる１つ以上のモバイル（例えば、ワイヤレスの）端末とを含んでいる。例示的なベースステーションは、ブロードキャスト、マルチキャスト、及び／又はユニキャストサービスのための複数のデータストリームを、同時に送信することができ、ここでデータストリームは、あるモバイル端末に関して単独で受信する可能性があるデータのストリームである。このベースステーションの前記サービスエリア内のあるモバイル端末は、前記複合ストリームにより運ばれた、１つ、２つ以上、又は全ての前記複数のデータストリームを受信することに興味がある可能性がある。更に、あるモバイル端末は、前記ベースステーションに又は他のモバイル端末にデータを送信することができる。このような、ベースステーションとモバイル端末との間の、又はモバイル端末間の通信は、チャネルの変動及び／又は干渉パワーの変動により、悪化する可能性がある。例えば、前述の変動は、ベースステーションの、１つ以上のモバイル端末に対する、スケジューリング、パワー制御、及び／又はレート予測に影響する可能性がある。
【発明の開示】
【発明が解決しようとする課題】
【０００６】
従来のネットワーク送信プロトコルは、送信器チェーンと受信チェーン間の同期を損なう可能性のあるミスマッチエラーの影響を受けやすく、結果として、多大なデータ損失及びネットワークスループットの低下をもたらす可能性がある。従って、ワイヤレスネットワークシステム内のスループットを改善するシステム及び／又は方法論に対する、技術的なニーズが存在している。
【課題を解決するための手段】
【０００７】
以下に、１つ以上の実施形態の簡略化した概略を提示し、これら実施形態の基本的な理解を提供する。この概略は、考慮された全ての実施形態についての広範囲にわたる概説ではなく、また、全ての実施形態の主要又は重要要素を特定するものでも、実施形態の任意の又は全ての範囲を線引きするものでもない。この唯一の目的は、１つ以上の実施形態のいくつかの概念を、後に提示される、より詳細な説明への前置きとして、簡単な形で提示することである。
【０００８】
１つ以上の実施形態及びこれらに対応する開示に従って、多様な態様が、ハイブリッド自動リクエスト（ＨＡＲＱ：ｈｙｂｒｉｄ  ａｕｔｏｍａｔｉｃ  ｒｅｑｕｅｓｔ）再送信プロトコルと共にＭＩＭＯ（ｍｕｌｔｉｐｌｅ  ｉｎｐｕｔ、ｍｕｌｔｉｐｌｅ  ｏｕｔｐｕｔ）プロトコルを用いるワイヤレスネットワーク環境内の、アックノレッジ解釈エラーを軽減することと関連して記述される。復号化に成功した多数のデータパケットに関連する累積アックノレッジについての誤解釈の特定、及びこれによって生じたデータパケット送信ミスマッチエラーの評価を容易にして、データパケットの復号化を継続するための最適なプロトコルを判断し、その結果、ミスマッチの軽減と、前記データパケットの送信器と受信器間の同期の回復をする、システム及び方法が記述されている。
【０００９】
一態様によれば、ワイヤレスネットワーク内で通信している間のアックノレッジ解釈エラーの影響を緩和する方法が、復号化に成功したデータパケットを指すアックノレッジの解釈に関連するエラーを特定することと、エラーのタイプを特定することと、特定されたエラーのタイプに少なくとも部分的に基づいて、前記アックノレッジを提供した受信器と前記アックノレッジを誤解釈した送信器との間の同期状態を救済処理的に回復することと、を備えることができる。前記方法は、更に、ハイブリッド自動リクエスト（ＨＡＲＱ：ｈｙｂｒｉｄ  ａｕｔｏｍａｔｉｃ  ｒｅｑｕｅｓｔ）プロトコルを前記送信器と前記受信器との間の１つ以上のデータパケットの送信のために用いることと、同様に、前記受信器によって少なくとも１つのデータパケットの復号化が成功したことを、前記少なくとも１つのデータパケットの前記送信器にアックノレッジする累積アックノレッジプロトコルを用いることと、を備えることができる。
【００１０】
他の態様によれば、ワイヤレスネットワーク内のミスマッチエラーによるスループットの低下の軽減を容易にするシステムが、ＨＡＲＱプロトコルを用いて１つ以上のデータパケットを送信する送信器と、前記１つ以上のデータパケットを受信し、復号化に成功した多数のデータパケットに関連する累積アックノレッジを前記送信器に提供する受信器と、を備えることができる。前記受信器は、前記１つ以上のデータパケットを復号化する復号器と、前記アックノレッジを生成するアックノレッジコンポーネントと、誤解釈されたアックノレッジにより生じるミスマッチエラーを検出するエラー検出コンポーネントとを備えることができる。前記受信器は更に、ミスマッチエラーのために次のデータパケットから削除されたか又は次のデータパケットの中に複製された、少なくとも１つのデータパケットに対するエネルギーレベルを推定する、エネルギー推定コンポーネントを備えることができる。
【００１１】
更なる他の態様によれば、ワイヤレスネットワーク内のミスマッチエラーに対する検出と補償を容易にする装置が記述されており、前記装置は、少なくとも１つのデータパケットについての第１の送信を受信する手段と、前記少なくとも１つのデータパケットを復号化する手段と、前記少なくとも１つのデータパケットの復号化に成功したことについてのアックノレッジを提供する手段と、前記アックノレッジが正しく解釈されたかどうかを、１つ以上のデータパケットについての第２の送信に少なくとも部分的に基づいて判断する手段と、を備えることができる。加えて、前記装置は、１つ以上のデータパケットに対して適用されるエネルギー推定プロトコルを通して得られる情報に基づいて、データパケットの復号化及びアックノレッジをする手段を備えることができる。
【００１２】
更に他の態様によれば、コンピュータ可読媒体が、前記媒体上に格納されるコンピュータで実行可能な命令を有することができ、前記命令は、少なくとも１つのデータパケットについての第１の送信を受信することと、前記少なくとも１つのデータパケットを復号化することと、前記少なくとも１つのデータパケットの復号化に成功したことについてのアックノレッジを提供することと、前記アックノレッジが正しく解釈されたかどうかを、１つ以上のデータパケットについての第２の送信に少なくとも部分的に基づいて判断することのための命令である。前記コンピュータ可読媒体は、更に、削除された及び／又は複製されたデータパケットを評価するための命令を備えて、次の適切なデータパケットを復号化及び／又はアックノレッジするかどうかを判断することができる。
【００１３】
更に他の態様は、ワイヤレスネットワーク内のアックノレッジエラーを軽減するための命令を実行するマイクロプロセッサに関連し、前記命令は、少なくとも１つのデータパケットについての第１の送信を受信することと、前記少なくとも１つのデータパケットを復号化することと、前記少なくとも１つのデータパケットの復号化に成功したことについてのアックノレッジを提供することと、前記アックノレッジが正しく解釈されたかどうかを、１つ以上のデータパケットについての第２の送信に少なくとも部分的に基づいて判断することと、を備えている。
【００１４】
更に他の態様は、ワイヤレスネットワーク上での通信を容易にするモバイルデバイスに関連し、前記モバイルデバイスは、前記ワイヤレスネットワーク内の送信器からデータパケット送信を受信する受信コンポーネントと、少なくとも１つの上方ミスマッチエラー及び下方ミスマッチエラーを特定するエラー検出コンポーネントと、少なくとも１つのデータパケットに関連するエネルギーレベルを評価するエネルギー推定コンポーネントと、１つ以上のデータパケットの復号化に成功したことについてのアックノレッジを生成するアックノレッジコンポーネントとを備えている。
【００１５】
上記の及び関連する目的を達成するために、これら１つ以上の実施形態は、以下に十分に説明され且つ請求項の中で特に指摘される特徴を備えている。以下の説明及び添付図面は、１つ以上の実施形態の特定の例示的な態様を詳細に説明する。これらの態様は指標となるものではあるが、多様な実施形態の原理が用いられる多様な方法のごく一部でしかなく、また、これらの説明される実施形態はこのような態様及びその等価物を全て含むことが意図されている。
【発明を実施するための最良の形態】
【００１６】
（関連出願の相互参照）
本出願は、米国特許法第１１９条の下、参照して全体がここに組み込まれる、２００４年７月２０日に出願され「ＭＩＭＯ／ＳＩＣ／ＨＡＲＱにおけるＡＣＫ／ＮＡＣＫエラーの軽減のためのメカニズム（Ａ  Ｍｅｃｈａｎｉｓｍ  ｆｏｒ  Ｍｉｔｉｇａｔｉｎｇ  ＡＣＫ／ＮＡＣＫ  ｅｒｒｏｒｓ  ｉｎ  ＭＩＭＯ／ＳＩＣ／ＨＡＲＱ）」と題された、米国特許仮出願第６０／５８９，８１６号及び、２００５年６月６日に出願され「ＭＩＭＯ／ＳＩＣ／ＨＡＲＱにおけるＡＣＫ／ＮＡＣＫエラーの軽減（Ｍｉｔｉｇａｔｉｎｇ  ＡＣＫ／ＮＡＣＫ  ｅｒｒｏｒｓ  ｉｎ  ＭＩＭＯ／ＳＩＣ／ＨＡＲＱ）」と題された、米国特許仮出願第６０／６８８，０９１号についての利益を主張する。
【００１７】
多様な実施形態がこれから図面とともに説明されるが、ここでは全体を通して同様の参照符号は同様の要素を参照している。以下の記述の中では、説明のために、多数の特定の詳細が１つ以上の実施形態の完全な理解を提供するために説明される。しかしながら、このような実施形態は、これらの特定の詳細無しでも実行することができるということは、明確であろう。他の事例では、よく知られた構造及びデバイスが、１つ以上の実施形態の説明を容易にするためにブロック図形式で示されている。
【００１８】
本出願で用いられているように、用語「コンポーネント」、「システム」等は、ハードウエア、ハードウエアとソフトウエアの組み合わせ、ソフトウエア、又は実行中のソフトウエアのいずれかの、コンピュータ関連の実体を示すことが意図されている。例えば、コンポーネントは（限定するものではないが）、プロセッサ上で実行されるプロセス、プロセッサ、オブジェクト、実行ファイル、実行スレッド、プログラム、及び／又はコンピュータであってもよい。１つ以上のコンポーネントが、１つのプロセス及び／又は実行スレッドの中に存在する可能性があり、また、１つのコンポーネントは１つのコンピュータ上に局部集中してもよく、及び／又は２つ以上のコンピュータ間に分散することもできる。また、これらのコンポーネントは、多様なデータ構造を中に格納している、様々なコンピュータ可読媒体から実行することができる。これらのコンポーネントは、ローカル及び／又はリモートプロセスを経由して、例えば、１つ以上のデータパケットを有する信号（例えば、ローカルシステムの中、分散システムの中、及び／又は他のシステムを伴うインターネットのようなネットワーク全体の中で、他のコンポーネントと相互作用するあるコンポーネントからの、前記信号によるデータ）に従って、通信することができる。
【００１９】
更に、多様な実施形態が加入者ステーションとともに、本明細書において説明される。加入者ステーションはまた、システム、加入者ユニット、モバイルステーション、モバイル、リモートステーション、アクセスポイント、ベースステーション、リモート端末、アクセス端末、ユーザ端末、ユーザエージェント、又はユーザ装置とも呼ばれる。加入者ステーションは、携帯電話、コードレス電話、ＳＩＰ（Ｓｅｓｓｉｏｎ  Ｉｎｉｔｉａｔｉｏｎ  Ｐｒｏｔｏｃｏｌ）電話、ＷＬＬ（ｗｉｒｅｌｅｓｓ  ｌｏｃａｌ  ｌｏｏｐ）ステーション、ＰＤＡ（ｐｅｒｓｏｎａｌ  ｄｉｇｉｔａｌ  ａｓｓｉｓｔａｎｔ）、ワイヤレス接続能力を有する携帯デバイス、又はワイヤレスモデムに接続された他の処理デバイスであってもよい。
【００２０】
その上、本明細書において説明される多様な態様又は特性は、方法、装置、又は標準のプログラミング及び／又はエンジニアリング技法を用いる製品として、実行することができる。本明細書において用いられたように、用語「製品」は、任意のコンピュータ可読デバイス、キャリア、又は媒体からアクセス可能なコンピュータプログラムを包含することが意図されている。例えば、コンピュータ可読媒体には、磁気記憶デバイス（例えば、ハードディスク、フロッピー（登録商標）ディスク、磁気ストリップ（ｍａｇｎｅｔｉｃ  ｓｔｒｉｐ））、光ディスク（例えば、ＣＤ（ｃｏｍｐａｃｔ  ｄｉｓｋ）、ＤＶＤ（ｄｉｇｉｔａｌ  ｖｅｒｓａｔｉｌｅ  ｄｉｓｋ）・・・）、スマートカード、及びフラッシュメモリデバイス（例えば、カード、スティック、キードライブ（ｋｅｙ  ｄｒｉｖｅ）・・・）を含むことができるが、これらに限定されるわけではない。
【００２１】
図面を参照すると、図１は、本明細書において提供される各種の実施形態に従うワイヤレスネットワーク通信システム１００を例示している。ネットワーク１００は、１つ以上のベースステーション１０２を１つ以上の領域に備えることができ、これらのベースステーションは、互いに及び／又は１つ以上のモバイルデバイス１０４との間で、ワイヤレス通信信号の受信、送信、反復等を行う。当業者には理解されるだろうが、各ベースステーション１０２は、送信器チェーン及び受信器チェーンを備えることができ、次にこれらチェーンは信号送信及び受信に関連する複数のコンポーネント（例えば、プロセッサ、変調器、多重化装置、復調器、デマルチプレクサ、アンテナ等）を備えることができる。モバイルデバイス１０４は、例えば、携帯電話、スマートフォン、ラップトップ、携帯型通信デバイス、携帯型計算デバイス、衛星ラジオ、全地球測位システム（ｇｌｏｂａｌ  ｐｏｓｉｔｉｏｎｉｎｇ  ｓｙｓｔｅｍ）、ＰＤＡ、及び／又はネットワーク１００を通して通信するための他の適切なデバイスとすることができる。
【００２２】
ワイヤレスネットワーク１００は、複数の信号経路を通してデータ送信を容易にするため、ＭＩＭＯ（ｍｕｌｔｉｐｌｅ  ｉｎｐｕｔ、ｍｕｌｔｉｐｌｅ  ｏｕｔｐｕｔ）通信技術を採用することができる。ＭＩＭＯ技術を用いることにより、ワイヤレスネットワーク１００及び／又はこの上で通信しているコンポーネントは、多重伝播によりスループットを増加することができる。加えて、ネットワーク１００は、レイヤレベルでの信号の再送信を容易にするために、ハイブリッド自動リクエスト（ＨＡＲＱ：ｈｙｂｒｉｄ  ａｕｔｏｍａｔｉｃ  ｒｅｑｕｅｓｔ）プロトコルを用いることができる。上述の通信技術は、ワイヤレスネットワーク１００によって、任意の適切なワイヤレス通信プロトコル（例えば、ＯＦＤＭ、ＯＦＤＭＡ、ＣＤＭＡ、ＴＤＭＡ等）とともに用いることができるということが理解されよう。
【００２３】
ＨＡＲＱプロトコルは、ＳＩＣ（ｓｕｃｃｅｓｓｉｖｅ  ｉｎｔｅｒｆｅｒｅｎｃｅ  ｃａｎｃｅｌｌａｔｉｏｎ）に基づいており、ＢＬ（ｂｌａｎｋｉｎｇ  ｌａｙｅｒ）プロトコルとも称される。ＢＬプロトコルでは、複数の符号語、すなわちレイヤ（ｌａｙｅｒ）を、同時に送信することができ、また受信器で同時に受信することができる。受信器がちょうど又はより多くのレイヤを復号化するとき、受信器はレイヤの復号化が成功したことを示すアックノレッジを生成し、このアックノレッジはこの信号の送信器に返される。復号化成功のアックノレッジに基づき、送信器は、利用できる送信能力を残りのレイヤに割り当て、残りのレイヤを前のレイヤよりも高いパワーで送信できるようにすることができ、これは言い換えると残りのレイヤの復号化が成功する確率を高める。例えば、送信器がアックノレッジの解釈を誤って復号化に成功したレイヤを再送信する、及び／又は、レイヤを順序正しく送信できないなどの、ミスマッチエラーがおこると、ネットワークのスループットは損なわれ得る。このような場合、全体でＮｔレイヤ（すなわちデータパケット）が送信から欠落する可能性がある。尚、ここでＮｔは、ワイヤレスネットワーク１００のようなワイヤレスネットワーク内の送信アンテナの数である。
【００２４】
図２は、アックノレッジの復号化時のエラーに関連する送信ミスマッチによるスループット損失を緩和する、システム２００の図である。システム２００は、上述のワイヤレスネットワーク１００に類似したワイヤレスネットワーク２０２を備えており、このワイヤレスネットワーク２０２は送信器２０４及び受信器２０６と共に描かれている。当業者には分かるように、任意の数の送信器２０４及び受信器２０６がワイヤレスネットワーク２０２によって備えられてもよいが、単一の受信器２０６に通信データ信号を送信する単一の送信器２０４が、単純にするために例示されている。送信器２０４は、任意適切なワイヤレス通信プロトコル（例えば、ＯＦＤＭ、ＯＦＤＭＡ、ＣＤＭＡ、ＴＤＭＡ等）に従って信号を変調及び／又は符号化することができる、符号器コンポーネント２０８を備えており、この信号はその後受信器２０６に送信される。受信器２０６は、受信される信号及び／又はこの信号の中に含まれるデータパケットを、処理のために復号化することができる、復号器コンポーネント２１０を備えている。データパケットの復号化に成功するとすぐに、アックノレッジコンポーネント２１２が、このデータパケットの復号化が成功したことを示すアックノレッジを生成することができ、このアックノレッジは、このデータパケットが受信され且つ復号化され、従って、再送信の必要はないということを送信器２０６に伝えるために、送信器２０６に送信することができる。
【００２５】
アックノレッジコンポーネント２１２は、累積アックノレッジプロトコルを用いることができる。例えば、２つのデータパケット（例えば、レイヤ）が復号化に成功した場合、アックノレッジコンポーネント２１２は、それぞれのパケットに個別にアックノレッジすることなく、２進法の「２」（例えば、２進の１０）を備えるアックノレッジを送信することができる。加えて、アックノレッジコンポーネント２１２は、「オン−オフ」アックノレッジプロトコルを用い、これによりアックノレッジを、１つ以上のレイヤの復号化に成功したときにのみ生成及び／又は送信することができる。このようなプロトコルはまた、アックノレッジ／非アックノレッジ、すなわち「ＡＣＫ／ＮＡＣＫ」プロトコルとも称される。
【００２６】
図３は、１つ以上の態様に従い、誤って解釈された復号化アックノレッジに起因する送信ミスマッチエラーの検出を容易にする、システム３００の図である。システム３００は、ワイヤレスネットワーク１００と同様のワイヤレスネットワーク３０２を備えており、このワイヤレスネットワーク３０２は通信データパケット及びアックノレッジを送信するために、ＭＩＭＯ及びＨＡＲＱプロトコルを用いている。ワイヤレスネットワーク３０２は、受信器３０６にデータを送信する、送信器３０４を備えている。送信器３０４は、受信器３０６への送信のために信号及び／又はデータパケットを符号化する、符号器コンポーネントを備えている。受信器３０６は、受信されるデータパケットを復号化する復号器コンポーネント３１０と、送信器３０４に送信するためのパケット復号化成功のアックノレッジを生成する、アックノレッジコンポーネント３１２とを備えている。例えば、アックノレッジコンポーネント３１２は、前記の累積アックノレッジ技術をＡＣＫ／ＮＡＣＫプロトコルとともに用いることができ、このアックノレッジが、送信器３０４に伝達するための、復号化に成功したシーケンシャルなパケットの数を示す２進の値を備えており、送信器３０４に次の送信のための適切な一連のデータパケットを特定させるようにする。データパケットが復号化が成功でない場合は、非アックノレッジ（ＮＡＣＫ）が生成され、このアックノレッジの欠落により、送信器３０４に、パケットの復号化は成功せず、前の送信を繰り返す必要があるということが伝えられる。
【００２７】
受信器は更に、期待された一連のデータパケットの送信の間にミスマッチを特定し、且つ受信器３０６を送信器３０４に同期させることによってこのミスマッチに対する補償を容易にする、エラー検出コンポーネント３１４を備えている。例えば、送信器３０４が誤ってアックノレッジを復号化した場合、次の送信は危険にさらされる（例えば、送信器３０４は、反復されたデータパケットを含む、又は受信器３０６が期待する一連のデータパケットを含まない、一連のデータパケットを送信する可能性がある）。
【００２８】
例えば、特定の実施例によれば、復号器コンポーネント３１０が、３レイヤ構成の信号の内のレイヤ１が復号化に成功し、アックノレッジコンポーネント３１２がこの最初のデータパケットが復号化に成功したことを示す２進の値「０１」を備えるアックノレッジを送信することがある。送信器３０４がこのアックノレッジを２進の「１０」、すなわちレイヤ１及び２が復号化に成功したとして誤って解釈すると、次の送信では送信器３０４はレイヤ３のみを送信する。復号器３１０が次の通信を復号化しようとし、且つ受信器３０６がレイヤ２を期待している場合、送信器３０６は実際にはレイヤ２を送信していないのでノイズ（例えば、システム固有の雑音等に一致）のみが収集されることになる。エラー検出コンポーネント３１４は、エネルギー推定コンポーネント３１６と連携して、レイヤ３に関する期待エネルギーを推定することができ、この受信されたパケットは実際にはレイヤ３であり、レイヤ２は脱落しているということを認識することができる。エネルギー推定コンポーネント３１６により生成されたエネルギー計測を用いることにより、受信器３０６はレイヤ２が脱落したことを判断することができ、また復号器３１０は、受信器３０６と送信器３０４を同期させて脱落するデータレイヤ数を軽減するために、レイヤ３の復号化に進むことができる。このようにして、Ｎｔレイヤを失うよりはむしろ、最悪の場合で、脱落するレイヤは最大Ｎｔ―Ｎｄレイヤ（例えば、ここでＮｔは送信されるレイヤ数であり、Ｎｄは復号化に成功したレイヤ数）に抑制することができる。このように、上方ミスマッチエラーによって任意のレイヤが失われた場合、Ｎｔ―Ｎｄレイヤを失うよりはむしろ、この失われたレイヤの数は１からＮｔ―Ｎｄの間にある。本実施例によると、ただ１つのレイヤすなわちレイヤ２のみが脱落する。先のこの実施例は、事実上例示的なものであり、所与の信号の中で送信及び／又はアックノレッジできるデータパケットの数、及びエラーの検出、補償等を行う方法を限定することを意図するものではないことが理解されよう。
【００２９】
図４は、受信器−送信器間の通信の同期を取り且つスループット上の損失を緩和するために、多様な態様に従って、アックノレッジの解釈における上方エラーの検出とこれに対する補償を容易にする、システム４００の図である。システム４００は、ワイヤレスネットワーク４０２を備え、これらを通して１つ以上のモバイルデバイス（例えば、携帯電話、個人用通信デバイス（ｐｅｒｓｏｎａｌ  ｃｏｍｍｕｎｉｃａｔｉｏｎ  ｄｅｖｉｃｅｓ）、・・・）が通信することができる。ワイヤレスネットワーク４０２は、１台の送信器４０４及び１台の受信器４０６を備えるように例示されているが、実際にはワイヤレスネットワークは、複数の送信器及び受信器はもちろん、関連する通信コンポーネントさえも備えることができるということが理解されよう。説明を簡単にするために、送信器４０４は、ワイヤレスネットワーク４０２内の第１のアンテナからの送信器チェーンとすることができ、受信器４０４はワイヤレスネットワーク４０２内の第２のアンテナからの受信器チェーンとすることができる。加えて、送信器４０４及び受信器４０６は、本明細書の様々な態様に関して記述されるように、ベースステーションの一部及び／又はモバイルデバイスの一部であってもよい。
【００３０】
送信器４０４は、このワイヤレスネットワークにより用いられる１つ以上のプロトコル（例えば、ＯＦＤＭ、ＯＦＤＭＡ、ＣＤＭＡ、ＴＤＭＡ、・・・）に従って通信信号を符号化及び／又は変調する、符号器４０８を備えている。受信器４０６は、受信される信号及び／又はこの信号の中のパケット又はレイヤを受信器４０６が分析するために復号化する、復号器コンポーネント４１０を備えている。受信器は、例えば、先の図面に関連して説明したように、累積アックノレッジプロトコルをオン−オフアックノレッジ技術とともに用いて、アックノレッジメッセージを送信器４０４に提供することができる、アックノレッジコンポーネント４１２を更に備えている。受信器４０６は更にエネルギー推定コンポーネント４１６を含んでおり、このエネルギー推定コンポーネント４１６は、予測される信号エネルギーの見積もりを容易にして、エラー検出コンポーネント４１４が、送信器４０４があるアックノレッジを誤って復号化し、且つ送信器４０４と受信器４０６との間で上方ミスマッチエラーを起こしたということを判断することを、支援する。
【００３１】
エラー検出コンポーネント４１４は、受信器４０６を送信器４０４に同期させ、通信セッションの間のスループット低下を緩和するための、様々なタイプのミスマッチエラーに対する補償を容易にする、「上方」エラー検出器４１８及び「下方」エラー検出器４２０を備えることができる。例えば、図３に関連して上で説明したように、受信器４０６が複数のレイヤ（Ｎｄ）の復号化が成功したことについてのアックノレッジを送信し、送信器４０４がこのアックノレッジをある大きな数（例えば、Ｎｄ＋１）のパケットの復号化に成功したというように誤って解釈すると、上方ミスマッチエラーが起こり得る。次の送信にあたって、送信器４０４は受信器４０６が期待するよりも少ないレイヤを送信することになる。例えば、本実施例に従えば、受信器４０６は後に続く一連のパケット送信を先導するレイヤＮｄ＋１を期待している可能性があるが、送信器４０４は前記後に続く送信の中のＮｄ＋２を最初のデータパケットとして誤って送信する。このような場合、エネルギー推定コンポーネントは、レイヤＮｄ＋１に対するエネルギーレベルを推定することができる。レイヤＮｄ＋１に対する推定されたエネルギーレベルが所定の最低閾値レベルを下回る場合は、レイヤＮｄ＋１は送信されなかった（例えば、送信器４０４による解釈の間違いのため欠落した）と推測することができ、上方エラーコンポーネント４１８は復号器４１０に、送信器４０４に受信器４０６を同期させ、データパケットの更なる欠損を緩和するために、先に進んでレイヤＮｄ＋２（例えば、順番的に期待される次のデータパケット）を復号化してみるように指示することができる。このようなことは、同期が達成されるまで複数のレイヤに対して繰り返され得る。
【００３２】
下方ミスマッチエラーは、受信器４０６が複数のレイヤＮｄのダウンロード／復号化が成功したことを意味するアックノレッジを送り、送信器４０４がこのアックノレッジをＮｄに満たない数のレイヤを示すものとして誤って解釈する場合に発生する。次の送信では、送信器４０４はこのアックノレッジの誤解釈のために、複写したレイヤを送信する。このようなミスマッチに対して警戒するためのチェックを備えるために、下方ラー検出コンポーネント４２０は、前記次の送信の復号化に先立ちレイヤＮｄを復号化することを試みることができる。アックノレッジ解釈エラーが何も起こらなかったのであれば、Ｎｄを復号化する如何なる試みもノイズを集めるだけの受信器４０６で終わる。なぜなら、送信器４０４はレイヤＮｄを送信していないからである。
【００３３】
しかしながら、下方ミスマッチエラーを認識し次第、復号器４１０は、レイヤＮｄ＋１の復号化に進むことができ、またアックノレッジコンポーネント４１２はレイヤＮｄ＋１の復号化が成功し次第、送信器４０４にアックノレッジを送信することができる。この新たなアックノレッジが送信器４０４により正しく解釈される場合は、送信器４０４及び受信器４０６はうまく同期されたことになる。レイヤＮｄ＋１がうまく復号化できない場合は、アックノレッジコンポーネント４１２によりアックノレッジが生成及び送信され得、レイヤＮｄが復号化に成功したことを再度示す。
【００３４】
他の実施例によれば、送信器４０４からの第１の送信が、データレイヤの数Ｎｄ＝４を備えることができる。受信器４０６はレイヤ１及び２をうまく復号化しアックノレッジすることがあり得る。送信器４０４はこのアックノレッジを誤って１と解釈する可能性があり、その結果送信器４０４がレイヤ２、３、及び４（ここで、レイヤ２は重複送信を意味する）を送信する可能性がある。受信器４０６は、既にレイヤ２が復号化されていることから、レイヤ３を復号化する前にレイヤ２（及び選択的にレイヤ１）の符号語を再生成、再構築等をすることができ、また、送信器４０４が上記アックノレッジを誤読した場合に送信されるであろうレイヤ２の部分を特定することができる。下方エラーコンポーネント４２０は、上記再構築された符号語を上記重複送信と相互に関連付けし、この相関が十分に高い値を示す（例えば、５０％一致、７５％一致、又は他の所望の閾値などの所定の閾値を超過するなど）かどうかを評価して、上記重複レイヤを無視することと、この送信の中の次のレイヤを復号化することに進むこととを正当化することができる。この相関閾値を満足する場合は、受信器４０６は重複していることを認識することができ、復号器４１０は前記の次の期待されるレイヤ（例えば、本実施例によればレイヤ３）の復号化を開始することができる。復号化が成功すると、アックノレッジコンポーネント４１６は、アックノレッジを生成して送信することができ、これは、送信器４０６により正しく解釈されれば、受信器４０６と送信器４０４の同期が取られたということに帰着する。レイヤ３がうまく復号化できない場合、アックノレッジコンポーネント４１２は、レイヤ２をアックノレッジすることができ、このことが同様に受信器４０６と送信器４０４の同期状態を回復させる。
【００３５】
図５は、ワイヤレスネットワーク環境でのアックノレッジの誤解釈による、スループット低下を緩和することを容易にする、システム５００の図である。システム５００は、先の図面と共に説明されたネットワークと同様なワイヤレスネットワーク５０２を備えている。ネットワーク５０２は、１台の送信器５０４及び１台の受信器５０６を備えるように例示されているが、当業者には分かるように、複数の送信器及び受信器を用いることができる。送信器５０４は、出て行く信号をネットワーク５０２によって採用された特定の変調スキームに従って復号化することができる、符号器５０８を備えている。このような信号は、受信器５０６で受信され、復号器５１０で復号化され得る。アックノレッジコンポーネント５１２が、上記信号の中で送信されるデータパケット又はレイヤが、復号化に成功したことを示すアックノレッジを生成することができ、且つ送信器５０４にこのアックノレッジを返すことができる。受信器５０６は、加えて、送信器５０４の１つ以上のアックノレッジの誤解釈に関連しているエラーの検出を容易にする、エラー検出コンポーネント５１４及び信号エネルギー推定器５１６を備えることができる。エラー検出コンポーネント５１４は、図４に関連して詳述されたように、送信器５０４による上方ミスマッチエラーを検出する上方エラー検出コンポーネント５１８、及び送信器５０４によって起された下方ミスマッチエラーを検出する下方エラー検出コンポーネントを備えることができる。
【００３６】
システム５００は、加えて、受信器５０６と動作可能に接続されており、受信されたデータパケット及び／又はレイヤ、復号化されたレイヤ、アックノレッジされたレイヤ、レイヤエネルギー推定、並びに、ミスマッチエラーを検出しこれらを補償してネットワークのスループット低下を緩和することに関連する任意適切な他の情報、に関連する情報を格納するメモリ５２２を備えることができる。プロセッサ５２４が、受信器５０６（及び／又はメモリ５２２）に動作可能に接続され得、受信された信号レイヤ、復号化されたレイヤ、アックノレッジ生成、エラー検出、再同期化等に関連している情報の分析を促進する。プロセッサ５２４は、受信器５０６により受信された情報の分析及び／又は生成に専念するプロセッサであってもよく、及び／又は、受信器５０６により受信された情報の分析及び生成並びにシステム５００の１つ以上のコンポーネントの制御の両方を行うプロセッサであってもよい。
【００３７】
メモリ５２２は、加えて、アックノレッジの生成、ミスマッチエラーの検出、受信器５０６と送信器５０４を同期させるための救済処置の実施等に関連するプロトコルを格納し得、システム５００は、格納されたプロトコル及び／又はアルゴリズムを用いて、本明細書に記載されたワイヤレスネットワークのスループットの改善を実現することができる。本明細書において説明されたデータストア（例えば、メモリ）コンポーネントは、揮発性メモリ若しくは不揮発性メモリのいずれか、又は揮発性メモリ及び不揮発性メモリの両方を含むことができる。例示としてであり且つ限定するものとしてではないが、不揮発性メモリは、読み出し専用メモリ（ＲＯＭ）、プログラマブルＲＯＭ（ＰＲＯＭ）、電気的プログラマブルＲＯＭ（ＥＰＲＯＭ）、電気的消去可能ＲＯＭ（ＥＥＰＲＯＭ）、又はフラッシュメモリを含むことができる。揮発性メモリは、外部キャッシュメモリとして動作するランダムアクセスメモリ（ＲＡＭ）を含むことができる。例示としてであり且つ限定するものとしてではないが、ＲＡＭは、例えば、シンクロナスＲＡＭ（ＳＲＡＭ）、ダイナミックＲＡＭ（ＤＲＡＭ）、シンクロナスＤＲＡＭ（ＳＤＲＡＭ）、ダブルデータレートＳＤＲＡＭ（ＤＤＲ  ＳＤＲＡＭ）、エンハンストＳＤＲＡＭ（ＥＳＤＲＡＭ：ｅｎｈａｎｃｅｄ  ＳＤＲＡＭ）、シンクリンクＤＲＡＭ（ＳＬＤＲＡＭ：Ｓｙｎｃｈｌｉｎｋ  ＤＲＡＭ）、及びダイレクトラムバスＲＡＭ（ＤＲＲＡＭ：ｄｉｒｅｃｔ  Ｒａｍｂｕｓ  ＲＡＭ）のような、多くの形態で利用可能である。この対象システム及び方法のメモリ５２２は、これらの及び他の任意適切な形式のメモリを、限定されること無く備えることが意図されている。
【００３８】
図６は、ワイヤレスネットワーク環境でのアックノレッジ誤解釈エラーを検出と、これらに対する補償を容易にし、このネットワーク内の送信器チェーンと受信器チェーンとの間の同調性を維持する、システム６００の図である。システム６００は、先の図面と共に説明されたネットワークと同様なワイヤレスネットワーク６０２を備えている。  ワイヤレスネットワーク６０２は、１台の送信器６０４及び１台の受信器６０６を備えるように例示されているが、当業者には分かるように、複数の送信器及び受信器を用いることができる。送信器６０４は、出て行く信号をネットワーク６０２によって採用された特定の変調スキーム（例えば、ＯＦＤＭ、ＯＦＤＭＡ、ＣＤＭＡ、ＦＤＭＡ、・・・）に従って符号化する符号器６０８を備えている。１つ以上の信号が、受信器６０６で受信され、復号器６１０で復号化され得る。受信器６０６は、上記信号の中に含まれるデータパケット又はレイヤが復号化に成功したことを示すアックノレッジを生成することができ、且つ送信器６０４にこのアックノレッジを返すことができる、アックノレッジコンポーネント６１２を備えている。受信器６０６は、加えて、前の図に関連して説明したように、送信器６０４の１つ以上のアックノレッジの誤解釈に関連しているエラーの検出を容易にする、エラー検出コンポーネント６１４及び信号エネルギー推定器６１６を備えている。エラー検出コンポーネント６１４は、図４に関連して詳述されたように、送信器６０４による上方ミスマッチエラーを検出する上方エラー検出コンポーネント６１８、及び送信器６０４によって起された下方ミスマッチエラーを検出する下方エラー検出コンポーネントを備えることができる。
【００３９】
システム６００は、加えて、上で図５に関連して詳述したように、メモリ６２２とプロセッサ６２４を備え、これらは受信器６０６と、及び互い同士で動作可能に結びつけられることができる。その上、ＡＩコンポーネント６２６が、受信器６０６と動作可能に結びつけられることができ、エラー検出、信号エネルギー推定等に関して推論をすることができる。本明細書において用いられているように、「推論する」又は「推論」という用語は一般的に、事象及び／又はデータを介して捕捉されたような一そろいの所見から推論するプロセス、及び／又はこれのシステム、環境、及び／又はユーザが推論している状態を示す。推論は、特定の状況若しくは動作の識別に用いることができるか、又は状態に対する確率分布の生成などに用いることができる。この推論は、確率的、すなわち、データ及び事象についての考察に基づいて対象の状況に対する確率分布を計算することであってもよい。推論はまた、一そろいの事象及び／又はデータからより高いレベルの事象を組み立てるために用いられる技術を意味することができる。このような推論は、これらの事象が時間的近接近の中で相関させられるにせよそうでないにせよ、またこれらの事象及びデータの情報源が、１つであろうと複数であろうと、一そろいの観察された事象及び／又は格納された事象データから新たな事象又は行動を構築することに帰着する。
【００４０】
一実施例よれば、ＡＩコンポーネント６２６は、例えば平均送信エネルギーレベル等に少なくとも部分的に基づき、適切なエネルギーレベル閾値を推論することができ、この閾値を超えればレイヤはあると判断され、これに満たなければ所与の信号にはレイヤは無いと判断される。本実施例によれば、エラーは、下方ミスマッチエラー、上方ミスマッチエラー等のような、送信器６０４によるアックノレッジの誤解釈により起こったと判断することができる。ＡＩコンポーネント６２６は、プロセッサ６２４及び／又はメモリ６２２と協力して、レイヤが次の信号送信の中に複製されているか及び／又はこの中には無いかどうかを判断することができる。ＡＩコンポーネント６２６は、下方ミスマッチエラーが検出された場合、例えば、前に受信されたレイヤを評価するためにチェックを行う必要があるということを推論することができる。このような場合、ＡＩコンポーネント６２６は、適切なエネルギーレベル閾値（この閾値を超えればレイヤは送信の中にあるとみなされ、これに満たなければ送信の中にはレイヤは無いとみなされる）の推論を容易にし、このことによってネットワークのスループットの改善と送信コストの軽減を図ることができる。以上の実施例は、事実上例示的なものであり、ＡＩコンポーネント６２６により行うことが出来る推論の範囲又はＡＩコンポーネント６２６がこのような推論を行う方法の範囲を限定するものではないことが、理解されるだろう。
【００４１】
図７から図１０を参照すると、システム資源の補償的な仕事の生成に関する方法論が例示されている。例えば、方法論らは、ＯＦＤＭ環境、ＯＦＤＭＡ環境、ＣＤＭＡ環境、ＴＤＭＡ環境、又は他の任意適切なワイヤレス環境での、アックノレッジ解釈エラーに対する補償を行うことにより、ネットワークスループットを改善することに関連してもよい。説明を簡単にするためにこれらの方法論は一連の行為として記述されているが、これらの方法論は行為の順番には限定されず（一部はされるかも知れないが）、１つ以上の実施形態に従って、本明細書で記載されたものとは異なる順番及び／又は他の行為と同時に起こる、ということが理解され認識されるべきである。例えば、技術的なスキルのある者は、方法論は、代替的に、状態図のような一連の相互に関連する状態すなわち事象として描かれるということもあり得る、ということを理解し認識するであろう。また、１つ以上の実施形態に従って方法論を実行するために、例示された行為の全てが必要ということはないかもしれない。
【００４２】
図７は、ワイヤレスネットワーク内のアンテナ間での信号送信の間の、送信器チェーンと受信器チェーン間のミスマッチエラーを軽減するための、方法論７００の図である。７０２では、ＡＣＫ／ＮＡＣＫエラーを評価及び／又は識別及び／又は検出することができる。このようなエラーが存在するということを判断すると、このエラーの性質（例えば、上方エラー又は下方エラー）に関する判断が、７０４にてなされ得る。
【００４３】
例えば、複数の信号経路を通してのデータ送信を容易にし、多重伝播によるスループット増加を提供するために、ワイヤレスネットワークの中にＭＩＭＯ通信技術を採用することができる。加えて、レイヤレベルでの信号の再送信を容易にするためにＨＡＲＱプロトコルを用いることができる。これらの上述の通信技術は、方法論７００に従い、ワイヤレスネットワークによって、適切なワイヤレス通信プロトコル（例えば、ＯＦＤＭ、ＯＦＤＭＡ、ＣＤＭＡ、ＴＤＭＡ等）の任意のものとともに用いられ得るということが理解されよう。送信器がアックノレッジを誤読し、復号化に成功した１レイヤを再送信したり及び／又はシーケンスの中の１レイヤを順序正しい送信に失敗したりするような、ミスマッチエラーが発生すると、ネットワークのスループットにひどい悪影響を及ぼし得る。
【００４４】
加えて、累積アックノレッジプロトコルをこのネットワークの中に用いることができる。例えば、２つのデータパケット（例えば、レイヤ）が復号化に成功した場合、それぞれのパケットに個別にアックノレッジすることなく、２進法の「２」（例えば、２進の１０）を備えるアックノレッジを送信することができる。加えて、ネットワークは、「オン−オフ」アックノレッジプロトコルを用い、これによりアックノレッジを、１つ以上のレイヤの復号化に成功したときにのみ生成及び／又は送信することができる。このようなプロトコルはまた、アックノレッジ／非アックノレッジ、すなわち「ＡＣＫ／ＮＡＣＫ」プロトコルとも称され得る。
【００４５】
７０４におけるＡＣＫ／ＮＡＣＫエラーの評価は、アックノレッジの誤読によりレイヤが重複して送信されたか又は誤って送信から削除されたかを判断することを、備えることができる。いずれの場合も、救済行動を取って、エラーのタイプを識別し、且つ、このミスマッチエラーの結果として脱落するレイヤの数を最小化しつつ送信器チェーン及び受信器チェーン間の同期を再確立することができる。
【００４６】
図８は、ワイヤレスネットワーク内の、あるアンテナ内の受信器チェーンの他のアンテナ内の送信器チェーンへの同期を、ミスマッチエラーによってそれぞれのチェーンが同期を失ったということを判断し次第再度取るための、方法論８００の図である。８０２で、１つ以上のレイヤを備える第１の信号を送信器から受信することができる。前記１つ以上のレイヤが復号化に成功するとすぐに、８０４で、これに対するアックノレッジを、次の一連のレイヤを送信してもよいということを前記送信器に知らせるために、前記送信器に提供することができる。次の一連のレイヤを備える信号が、８０６で受信され得る。８０８では、ＡＣＫ／ＮＡＣＫエラーが発生したことを判断することができる。８１０では、エネルギー推定プロトコルが選択的に実行され得、例えば、シーケンスの中の次の期待されるレイヤに関連するエネルギーレベルを推定する。前記推定されたエネルギーレベルは、所定の閾値と比較することができ、前記推定が前記閾値を下回る場合は、８０４の前記アックノレッジは不正確に復号化され（例えば、上方エラーのケース）、前記期待されるシーケンスからレイヤが欠落しているということを特定することができる。下方アックノレッジエラーの場合は、エネルギー推定／ノイズ評価は必要無い。むしろ、上の図４、及び下の図１０に関連して説明されるような相関プロトコルを実行することができる。このような判断に基づき、本方法は８１２へと進み前記信号内の次のレイヤ（ら）の復号化及びアックノレッジを行うことができる。
【００４７】
図９は、あるアンテナの受信器チェーンの他のアンテナの送信チェーンへの同期を、ワイヤレス通信環境内のミスマッチエラーを検出し次第回復させるための、方法論９００の図である。９０２で、信号が受信チェーンによって受信され、この信号はＮｄレイヤ（又はデータパケット）を備え、且つ前記受信チェーンは、復号化に成功した複数のパケットのアックノレッジを生成し前記信号を送信した送信チェーンに送ることができる。９０４では、Ｎｄ＋ｎレイヤを備える次の信号を受信することができ、これの復号化を始めることができる。送信チェーンが９０２で提供された前記アックノレッジを、より大きい数のデータパケットの復号化に成功したというように誤解釈すなわち不正確に復号化した場合、（例えば、上方解釈エラー）、９０４で受信される前記信号は、９０２の最後に復号化に成功したパケットと９０４の前記次の信号の最初のパケットとの間のデータパケットを、削除するであろう。このようなエラーを評価するために、９０６では、次の期待されるレイヤ（例えば、Ｎｄ＋１）に対してエネルギー推定技術を用いて送信パワーを評価し、前記レイヤが９０４で受信された前記次の信号の中に存在しているかどうかを判断することができる。９０８では、前記エネルギーレベルが規定の閾値を下回るかどうかについての判断を行うことができる。そうでなかったら、レイヤは存在するとみなされ、通常のように、９１０で、１つ以上のＮｄ＋ｎデータパケットの復号化に成功したアックノレッジ及び復号化に進むことができる。
【００４８】
９６０で推定されたエネルギーが、９０８で所定の閾値よりも低いと判断された場合、９０２で生成された前記アックノレッジは、より大きい数のデータパケットが復号化に成功したということを示すように不正確に解釈され、９０４で受信される前記次の信号から１つ以上のデータパケットが削除されたというように、想定することができる。従って、９１２では、上方ミスマッチエラーを認識することができ、次の順番のデータパケット（例えば、Ｎｄ＋２）の復号化を予定することができる。本方法論は、更なるエネルギー推定の繰り返し等のために９０６に戻り得、レイヤＮｄ＋２及び／又はが削除されたかどうかの評価が、送信された１つのレイヤが認識され復号化されるまで行われる。この時点で、受信及び送信チェーンは再同期化されるであろう。
【００４９】
図１０は、ワイヤレスネットワーク内の送信及び受信チェーン間の下方ミスマッチエラーを補償することによりワイヤレス環境内のスループット低下を軽減させるための、方法論１０００の図である。１００２で、Ｎｄレイヤを備える信号が受信され、アックノレッジされ得る（例えば、復号化に成功したシーケンシャルな多くのデータパケットを備えるアックノレッジを、前記信号を受信した受信チェーンから前記信号を送信した送信チェーンに送ることができる）。１００４では、Ｎｄ＋ｎレイヤ（又はデータパケット）を備える次の信号を受信することができる。１００６において、これらＮｄ＋ｎレイヤを復号化する前に、レイヤＮｄの重複送信に対するチェックが行われ得、下方ミスマッチエラーが発生したかどうか（例えば、前記送信チェーンが、１００２で提供された前記アックノレッジを、復号化に成功した全てのデータパケットよりも少ないアックノレッジのように、不正確に復号化したかどうか）を判断する。
【００５０】
１００８では、レイヤＮｄの符号語（例えば、複写（ｒｅｐｌｉｃａ）又は写し（ｄｕｐｌｉｃａｔｅ））を、１００２におけるレイヤＮｄの前の復号化の間に得られた情報に少なくとも部分的に基づいて生成することができる。前記符号語は、レイヤＮｄの全て又は一部分を備えることができる。１０１０では、相関技術を実行し、１００４で受信された、Ｎｄ＋ｎレイヤを備える前記信号内の次のレイヤと前記符号語を比較することができる。１０１２では、前記符号語と前記問題になっているレイヤとの間の相関のレベルに関する判断がなされ、最低限の類似性が存在するかどうかが評価される。例えば、ある所定の閾値を執行し（例えば、５０％、６０％、又は他の任意適切な閾値レベル）、これを超えたら前記符号語及び前記問題のレイヤは互いの同等物とみなすことができる。
【００５１】
１０１２での前記判断が、前記符号語と、レイヤＮｄ（本実施例の場合）との間に十分に高い相関が存在することを示す場合は、レイヤＮｄが、１００２におけるレイヤＮｄの前回の復号化成功のアックノレッジにもかかわらず、１００４で受信された前記次の信号の中で重複して送信されたということを、想定することができる。このような場合、１０１６で、下方ミスマッチエラー（例えば、実際に復号化された全てのデータパケットよりも少ない復号化の成功を、前記最初のアックノレッジが示したと、前記送信器により誤解釈された）を認識し、レイヤＮｄ＋１からレイヤＮｄ＋ｎまでを復号化し、そして、レイヤＮｄ及びレイヤＮｄ＋ｎの復号化に成功したとの新たなアックノレッジを生成することができる。この場合、レイヤＮｄを再度アックノレッジすることにより、送信器及び受信器との間で同期が実現できる。
【００５２】
１０１２での前記判断が、前記符号語と、レイヤＮｄとの間に前記所定の閾値レベルよりも小さい相関が存在することを示す場合は、レイヤＮｄが、１００４で受信された前記次の信号の中に存在しないということを、想定することができる。このような場合、本方法論は１０１４に進み、下方ミスマッチエラーが起きなかったという理由で、通常のように、Ｎｄ＋ｎレイヤの復号化とアックノレッジに進むことができる。
【００５３】
図１１は、例示的なワイヤレス通信システム１１００を示している。このワイヤレス通信システム１１００は、簡潔にするために、１つのベースステーション及び１つの端末を表現している。しかしながら、このシステムは２つ以上のベースステーション及び／又は２つ以上の端末を含むことができ、追加のベースステーション及び／又は端末は、以下に記述される例示的なベースステーション及び端末に対して、実質的に同じでもよいし、また異なってもよいことが、理解されるべきである。加えて、このベースステーション及び／又はこの端末は、本明細書において説明された前記のシステム（図１から図６）及び／又は方法（図７から図１０）を、これらの間のワイヤレス通信を容易にするために用いることができるということが、認識されるべきである。
【００５４】
さて図１１を参照すると、ダウンリンク上では、アクセスポイント１１０５において、送信（ＴＸ）データプロセッサ１１１０が、トラフィックデータの受信、フォーマット、符号化、インターリーブ、及び変調（すなわちシンボルマッピング）をし、変調シンボル（データシンボル）を提供する。変調器１１１５が、前記データシンボル及びパイロットシンボルを受信及び処理し、符号のストリームを提供する。変調器１１２０が、データ及びパイロットシンボルを適切なサブバンド上に多重化し、使われないサブバンドのそれぞれに対し０の信号値を提供し、各シンボル期間（ｓｙｍｂｏｌ  ｐｅｒｉｏｄ）について、Ｎ本のサブバンドに対する数Ｎの送信シンボルの１組を得る。各送信シンボルはデータシンボル、パイロットシンボル、又は０の信号値でもよい。このパイロットシンボルは、各シンボル期間内で連続して送信することができる。前記パイロットシンボルは、周波数分割多重（ＦＤＭ：ｆｒｅｑｕｅｎｃｙ  ｄｉｖｉｓｉｏｎ  ｍｕｌｔｉｐｌｅｘｅｄ）、直交周波数分割多重（ＯＦＤＭ：ｏｒｔｈｏｇｏｎａｌ  ｆｒｅｑｕｅｎｃｙ  ｄｉｖｉｓｉｏｎ  ｍｕｌｔｉｐｌｅｘｅｄ）、時分割多重（ＴＤＭ：ｔｉｍｅ  ｄｉｖｉｓｉｏｎ  ｍｕｌｔｉｐｌｅｘｅｄ）、周波数分割多重（ＦＤＭ：ｆｒｅｑｕｅｎｃｙ  ｄｉｖｉｓｉｏｎ  ｍｕｌｔｉｐｌｅｘｅｄ）、又は符号分割多重（ＣＤＭ：ｃｏｄｅ  ｄｉｖｉｓｉｏｎ  ｍｕｌｔｉｐｌｅｘｅｄ）であってもよい。ＯＦＤＭシステムの場合は、変調器１１２０は、Ｎ送信シンボルのそれぞれの組を、Ｎ点ＩＦＦＴを用いて変換し、Ｎ個の時間領域チップ（ｃｈｉｐｓ：細切れ）を含む「変換された」シンボルを得る。変調器１１２０は、通常、それぞれの変換されたシンボルの一部を繰り返し、１つの対応するシンボルを得る。上記の繰り返された部分は、サイクリック・プレフィックス（ｃｙｃｌｉｃ  ｐｒｅｆｉｘ）として知られ、ワイヤレスチャネル間に広がった遅延に対抗するために用いられる。
【００５５】
送信ユニット（ＴＭＴＲ）１１２０が、前記シンボルのストリームを受信し、１つ以上のアナログ信号に変換し、且つ、前記アナログ信号の調整（例えば、増幅、フィルタリング、及び高い周波数への変換）を行って前記ワイヤレスチャネルを通じて送信するのに適したダウンリンク信号を生成する。前記ダウンリンク信号は、その後アンテナ１１２５を通して端末に送信される。端末１１３０では、アンテナ１１３５が前記ダウンリンク信号を受信し、受信された信号を受信器ユニット（ＲＣＶＲ）１１４０に提供する。受信器１１４０は、前記受信された信号を調整（例えば、フィルタリング、増幅、及び低い周波数への変換）を行い、前記調整された信号をデジタル化してサンプルを取得する。復調器１１４５が、各シンボルに付加されていたサイクリック・プレフィックスを除去し、それぞれの受信且つ変換されたシンボルをＮ点ＦＥＴを用いて周波数領域に変換し、各シンボル期間に対するＮサブバンドについてのＮ受信シンボルを得、且つ、受信されたパイロットシンボルをチャネル推定のためにプロセッサ１１５０に提供する。復調器１１４５は更に、プロセッサ１１５０から前記ダウンリンクに対する周波数応答推定を受信し、前記受信したデータシンボルに対してデータ復号化を行ってデータシンボル推定を得（これは前記送信されたデータシンボルの推定である）、且つ前記データシンボル推定をＲＸデータプロセッサ１１５５に提供し、このＲＸデータプロセッサ１１５５は、前記データシンボル推定を復調（すなわちシンボルのデマッピング）、デインターリーブ（ｄｅｉｎｔｅｒｌｅａｖｅ）、及び復号化して前記送信されたトラフィックデータを再生する。復調器１１４５及びＲＸデータプロセッサ１１５５による前記処理は、アクセスポイント１１００における、復調器１１１５及びＴＸデータプロセッサ１１１０による前記処理と、それぞれ相補的である。
【００５６】
アップリンク上では、ＴＸデータプロセッサ１１６０が、トラフィックデータを処理し、データシンボルを提供する。変調器１１６５が、前記データシンボルを受信し、パイロットシンボルとともに多重化し変調を行い、シンボルストリームを提供する。前記パイロットシンボルは、パイロット送信のために端末１１３０に割り当てられたサブバンド上で送信することができる（アップリンクのためのパイロットサブバンド数は、ダウンリンクのためのパイロットサブバンド数と同じでも良いし、異なってもよい）。送信ユニット１１７０が、その後、前記シンボルストリームを受信及び処理し、アップリンク信号を生成し、これはアンテナ１１３５によりアクセスポイント１１１０へ送信される。
【００５７】
アクセスポイント１１１０において、端末１１３０からの前記アップリンク信号は、アンテナ１１２５により受信され、受信器ユニット１１７５により処理されサンプルが得られる。復調器１１８０はその後前記サンプルを処理し受信されたパイロットシンボル及び前記アップリンクに対するデータシンボル推定を提供する。ＲＸデータプロセッサ１１８５が、前記データシンボル推定を処理してアンテナ１１３５により送信されたトラフィックデータを再生する。プロセッサ１１９０が、前記アップリンク上で送信しているそれぞれのアクティブな端末に対するチャネル推定を実行する。複数の端末がパイロットを、前記アップリンクに同時にそれぞれに割り当てられたパイロットサブバンドのセット上で、送信することができる（これらの前記パイロットサブバンドのセットは、インターレースされてもよい）。
【００５８】
プロセッサ１１９０及び１１５０は、アクセスポイント１１１０及び端末１１３５における動作を、それぞれ指示（例えば、制御、調整、管理等）する。それぞれのプロセッサ１１９０及び１１５０を、プログラムコードとデータを格納するメモリユニット（図示せず）と関連付けることができる。プロセッサ１１９０及び１１５０はまた、アップリンクに対する周波数推定及びダウンリンクに対するインパルス応答推定を導く計算を行う。
【００５９】
多重アクセスＯＦＤＭシステム（例えば、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ−ａｃｃｅｓｓ）システムに関しては、複数の端末が同時にアップリンク上で送信することができる。このようなシステムについては、前記パイロットサブバンドは、異なる端末間で共有することができる。前記チャネル推定技術は、各端末に対するパイロットサブバンドが、全動作バンド（おそらく、バンドエッジを除いて）にわたっている場合に用いることができる。このようなパイロットサブバンド構造は、各端末に対する周波数の多様性を得るためには望ましいかもしれない。本明細書において説明した技術は、多様な方法によって実行してもよい。例えば、これらの技術はハードウエア、ソフトウエア、又は各受信素子らの組み合わせの中で組み込むことができる。ハードウエア組み込みに対しては、チャネル推定に用いられる処理装置は、１つ以上のＡＳＩＣ（ａｐｐｌｉｃａｔｉｏｎ  ｓｐｅｃｉｆｉｃ  ｉｎｔｅｇｒａｔｅｄ  ｃｉｒｃｕｉｔｓ）、デジタル信号装置（ＤＳＰ：ｄｉｇｉｔａｌ  ｓｉｇｎａｌ  ｐｒｏｃｅｓｓｏｒｓ）、デジタル信号処理デバイス（ＤＳＰＤ：ｄｉｇｉｔａｌ  ｓｉｇｎａｌ  ｐｒｏｃｅｓｓｉｎｇ  ｄｅｖｉｃｅ）、プログラム可能論理デバイス（ＰＬＤ：ｐｒｏｇｒａｍｍａｂｌｅ  ｌｏｇｉｃ  ｄｅｖｉｃｅ）、フィールドプログラマブルゲートアレイ（ＦＰＧＡ：ｆｉｅｌｄ  ｐｒｏｇｒａｍｍａｂｌｅ  ｇａｔｅ  ａｒｒａｙ）、プロセッサ、コントローラ、マイクロコントローラ、マイクロプロセッサ、本明細書に記述された前記機能を実行するように設計された他の電子ユニット、又はこれらの組み合わせの中に組み込まれても良い。ソフトウエアでは、組み込みは、本明細書において説明された前記機能を実行するモジュール（例えば、手順、機能等）を通して行うことができる。これらのソフトウエアコードは、メモリユニットの中に格納され、プロセッサ１１９０及び１１５０により実行することができる。
【００６０】
以上で説明されたことの中には、１つ以上の実施形態の例が含まれている。上述の実施形態を説明するために、考えられるコンポーネントや方法論の組み合わせを全て記述するのは、もちろん不可能であるが、当業者は、様々な実施形態の多くの追加の組み合わせ及び順列が可能だということを認識するであろう。従って、説明された実施形態は、添付の請求項の精神及び範囲に入る、このような修正、変更及び変形物を全て包含することが意図されている。その上、詳細な説明又は請求項で用いられる範囲においては用語「含む」は、用語「備えている」が請求項の中で移行部として用いられるときに解釈されるように、用語「備えている」と同様のやり方で包含的であることが意図されている。
【図面の簡単な説明】
【００６１】
【図１】本明細書において提示される多様な実施形態に従う、ワイヤレスネットワーク通信システムを例示している。
【図２】アックノレッジの復号化の間のエラーに関連する送信ミスマッチによるスループット低下を緩和する、システムの図である。
【図３】１つ以上の態様に従って、誤解釈された復号化アックノレッジによる送信ミスマッチエラーの検出を容易にする、システムの図である。
【図４】多様な態様に従って、アックノレッジ解釈における上方エラーの検出と、これに対する補償を容易にして、受信器−送信器通信の同期化及びスループット損失の緩和を行う、システムの図である。
【図５】ワイヤレスネットワーク環境内のアックノレッジ誤解釈による、スループット低下の緩和を容易にする、システムの図である。
【図６】ワイヤレスネットワーク環境内のアックノレッジ誤解釈エラーの検出と、これに対する補償を容易にして、前記ネットワーク内の送信器チェーンと受信器チェーン間の同期を維持する、システムの図である。
【図７】ワイヤレスネットワーク内のアンテナ間の信号送信の間の、送信器チェーンと受信器チェーンとの間のミスマッチエラーを軽減するための方法論の図である。
【図８】ワイヤレスネットワーク内において、あるアンテナ内の受信器チェーンを、他のアンテナ内の送信器チェーンに、前記それぞれのチェーンがミスマッチエラーにより同期を失ったということを判断し次第、再度同期化させるための、方法論の図である。
【図９】ワイヤレス通信環境内のミスマッチエラーを検出し次第、あるアンテナ内の受信チェーンと他のアンテナ内の送信チェーンとの間の同期状態を回復する、方法論の図である。
【図１０】ワイヤレスネットワーク内の送信チェーン及び受信チェーン間のミスマッチエラーに対する補償を行うことにより、ワイヤレス環境内のスループット低下を緩和する、方法論の図である。
【図１１】本明細書において説明された前記多様なシステム及び方法と共に用いることができる、ワイヤレスネットワーク環境の図である。
【図１】
2008507917.tif 000003
【図２】
2008507917.tif 000004
【図３】
2008507917.tif 000005
【図４】
2008507917.tif 000006
【図５】
2008507917.tif 000007
【図６】
2008507917.tif 000008
【図７】
2008507917.tif 000009
【図８】
2008507917.tif 000010
【図９】
2008507917.tif 000011
【図１０】
2008507917.tif 000012
【図１１】
2008507917.tif 000013
【国際調査報告】
2008507917.tif 000014
2008507917.tif 000015
2008507917.tif 000016